(57)【要約】  逆方向リンク速度制御方法及び装置が１以上の移動局の逆方向リンク速度の全般的な出制御に対する一次速度制御として第１の速度制御コマンドを提供する。第１の速度制御コマンドは、例えば、周期的に送信される共通速度制御コマンドを含むものであって、制御コマンド逆方向リンクの負荷の関数として発生され、かつそのサービス必要条件が目標逆方向リンク速度制御を現在必要としない移動局の逆方向リンク速度を制御するために使用される。例示的な方法及び装置は、更に、必要に基づいて、二次速度制御コマンドを発生し、これを個々の移動局又は複数グループの移動局において特定のサービス品質必要条件を満足させるように、複数の移動局のうちの目標移動局に送信される。二次速度制御チャネルは、必要ベースにより、補助速度制御を得るために目標移動局にダイナミックに割り付け及び開放可能とされる。
2007524266.tif 000002
【特許請求の範囲】
【請求項１】
無線通信ネットワークにおける移動局の逆方向リンク速度を制御する方法において、
１以上の移動局の全般的な逆方向リンク速度に対する第１の速度制御コマンドを送信するステップと、
前記第１の速度制御コマンドを送出している間に、１以上の移動局のうちの少なくとも１移動局の特定の逆方向リンク速度制御の要求に基づいて第２の速度制御コマンドを送信するステップと
を有する前記方法。
【請求項２】
前記第１の速度制御コマンドを送信するステップは、１グループの移動局に対する共通速度制御コマンドを送信するステップを有する請求項１記載の前記方法。
【請求項３】
前記第２の速度制御コマンドを送信するステップは、必要により１以上の移動局のうちの特定の移動局における特定のＱｏＳをサポートするように特定の速度制御コマンドを一時的に送信するステップを備えた請求項２記載の前記方法。
【請求項４】
前記第１の速度制御コマンドを送信するステップは、１グループの移動局に対する共通速度制御コマンドを送信するステップを有し、前記第２の速度制御コマンドを送信するステップは、１グループの移動局から選択された移動局における共通速度制御コマンドを優先させるために必要とされるモバイル特定の速度制御コマンドを送信するステップを有する請求項１記載の前記方法。
【請求項５】
前記第１の速度制御コマンドを送信するステップは、逆方向リンクの負荷の状態の関数としてネットワークの無線セクタに対する共通速度制御コマンドを送信するステップを有する請求項１記載の前記方法。
【請求項６】
前記第２の速度制御コマンドを送信するステップは、必要により、モバイル特定のサービス必要条件の関数として無線セクタにある移動局のうちの特定の移動局に対するモバイル特定の速度制御コマンドを送信するステップを有する請求項５記載の前記方法。
【請求項７】
前記第２の速度制御コマンドを送信するステップは、必要により、移動局のグループ特定のサービス必要条件の関数として無線セクタにある移動局のうちの特定の複数グループの移動局に対するグループ特定の速度制御コマンドを送信するステップを有する請求項５記載の前記方法。
【請求項８】
前記第１の速度制御コマンドを送信するステップは、前記逆方向リンクの負荷の状態の関数としてインクリメンタルによりアップ／ダウン共通速度制御コマンドを送信するステップを有する請求項１記載の前記方法。
【請求項９】
前記第２の速度制御コマンドを送信するステップは、１以上の移動局に関連するサービス必要条件の関数として１以上の特定移動局の目標速度制御コマンドを送信するステップを有する請求項８記載の前記方法。
【請求項１０】
前記１以上の移動局の移動局に関連する前記サービス必要条件の関数として１以上の特殊移動局の目標速度制御コマンドを送信するステップは、各目標移動局に対して、対応するモバイル特定のサービス必要条件の関数としてモバイル特定の速度制御コマンドを送信するステップを有する請求項９記載の前記方法。
【請求項１１】
前記特定の速度制御コマンドを送信するステップは、１以上の前記目標移動局に対して、１以上の目標移動局からサービス品質フィードバックの関数として前記目標速度制御コマンドを送信するステップを有する請求項１記載の前記方法。
【請求項１２】
１以上の目標移動局からサービス品質フィードバックの関数として目標速度制御コマンドを送信するステップは、逆方向リンク・ステータス情報、逆方向リンク・バッファ・レベル情報、及び逆方向リンク電力ヘッドルーム情報のうちの少なくとも１つを備え、かつ各目標移動局に対する目標速度制御コマンドを発生するように前記フィードバックを使用する請求項１１記載の前記方法。
【請求項１３】
前記第１の速度制御コマンドは、ネットワークの与えられた無線セクタ内の移動局に共通逆方向リンク速度制御を提供する基本的な速度制御コマンド
を備え、かつ特定の速度制御コマンドは、与えられた無線セクタ内の特定の移動局を目標とし、かつ特定の移動局において共通逆方向リンク速度制御を優先するように動作可能な補助速度制御コマンドを備えた請求項１記載の前記方法。
【請求項１４】
基本的な速度制御コマンドを送信するステップは、基本的な速度制御コマンド上の基本的な速度制御コマンドを送信するステップを有し、かつ補助速度制御コマンドを送信するステップは、１以上の補助速度制御コマンドを送信するステップを有する請求項１記載の前記方法。
【請求項１５】
１以上の移動局からのサービス品質フィードバックを受信することに基づいて特定の逆方向リンク速度制御の目標として、特定の移動局又は特定グループの移動局を認識するステップを更に有する請求項１記載の前記方法。
【請求項１６】
どの移動局が１以上の移動局からのサービス品質フィードバックの変更に応答して特定の逆方向リンク速度制御を必要とすると認識されていることをダイナミックに更新するステップを更に有する請求項１５記載の前記方法。
【請求項１７】
基地局システムにおいて、
１以上の移動局の全般的な逆方向リンク速度制御のための第１の速度制御コマンドを発生し、かつ
第１の速度制御コマンドを送信している間に、必要性に基づいて１以上の移動局のうちの少なくとも１移動局特定の逆方向リンク速度制御に対する第２の速度制御コマンドを発生するように構成された１以上の逆方向リンク速度制御回路を有する基地局システム。
【請求項１８】
１以上の逆方向リンク制御回路は、１グループの移動局に対する共通速度制御コマンドとして、第１の速度制御コマンドを発生するように構成された請求項１７記載の前記基地局システム。
【請求項１９】
前記１以上の逆方向リンク制御回路は、必要により、１グループの移動局のうちの特定の移動局における特定のサービス品質要求をサポートするために特定の速度制御コマンドを発生するように構成された請求項１８記載の前記基地局システム。
【請求項２０】
前記１以上の逆方向リンク制御回路は、１グループの移動局に対する共通速度制御コマンドとして第１の速度制御コマンドを発生し、かつ要求に基づいて１グループの移動局から選択された移動局において共通速度制御コマンドに優先させるためにモバイル特定の速度制御コマンドとして第２の速度制御コマンドを発生するように構成された請求項１７記載の前記基地局システム。
【請求項２１】
前記１以上の逆方向リンク制御回路は、逆方向リンクの負荷の状態の関数としてネットワークの無線セクタに対する共通速度制御コマンドとして第１の速度制御コマンドを発生するように構成された請求項１７記載の前記基地局システム。
【請求項２２】
前記１以上の逆方向リンク制御回路は、要求に基づいてモバイル特定のサービス必要条件の関数として無線セクタ内の移動局のうちの特定移動局に対するモバイル特定の速度コマンドとして第２の速度制御コマンドを発生するように構成された請求項２１記載の前記基地局システム。
【請求項２３】
前記１以上の逆方向リンク制御回路は、要求に基づいてグループ特定のサービス必要条件の関数として無線セクタ内の移動局のうちの特定の移動局に対するモバイル特定の速度コマンドとして第２の速度制御コマンドを発生するように構成された請求項２１記載の前記基地局システム。
【請求項２４】
前記１以上の逆方向リンク制御回路は、逆方向リンクの負荷の状態の関数として増分アップ／ダウン制御コマンドとして第１の速度制御コマンドを発生するように構成された請求項１７記載の前記基地局システム。
【請求項２５】
前記１以上の逆方向リンク制御回路は、１以上の特定の移動局に関連したサービス必要条件の関数として、１以上の特定移動局に対する目標速度制御コマンドとして第２の速度制御コマンドを発生するように構成された請求項２４記載の前記基地局システム。
【請求項２６】
前記１以上の逆方向リンク制御回路は、対応するモバイル特定のサービス品質必要条件の関数として、発生するモバイル特定の速度制御コマンドに基づいて各目標移動局に対する目標速度制御コマンドを発生するように構成された請求項２５記載の前記基地局システム。
【請求項２７】
前記１以上の逆方向リンク制御回路は、１以上の目標移動局からのサービス品質フィードバックの関数として目標速度制御コマンドを発生することにより１以上の目標移動局に対する第２の速度制御コマンドを発生するように構成された請求項１７記載の前記基地局システム。
【請求項２８】
前記１以上の逆方向リンク制御回路は、逆方向リンク・ステータス情報、逆方向リンク・バッファ・レベル情報及び逆方向リンク電力ヘッドルーム情報のうちの少なくとも１情報を備えた対応する受信フィードバックに基づいて各目標移動局に対する目標速度制御コマンドを発生するように構成された請求項２７記載の前記基地局システム。
【請求項２９】
前記１以上の逆方向リンク制御回路は、ネットワークの与えられた無線セクタ内の移動局に対して共通逆方向リンク速度制御を提供する基本的な速度制御コマンドとして第１の速度制御コマンドを発生し、かつ与えられた無線セクタ内の特定の移動局を目標とした補助速度制御コマンドとして第２の速度制御コマンドを発生し、かつ共通逆方向リンク速度制御を優先させるように動作可能に構成された請求項１７記載の前記基地局システム。
【請求項３０】
基本的な速度制御チャネル上に第１の速度制御コマンドを送信し、かつ１以上の補助速度制御チャネル上に第２の速度制御コマンドを送信するように構成された請求項１７記載の前記基地局システム。
【請求項３１】
１以上の移動局から受信するサービス品質フィードバックに基づいて特定のリンク速度制御に対する目標として特定の移動局又は特定グループの移動局を認識するように構成された請求項１７記載の前記基地局システム。
【請求項３２】
どの移動局が１以上の移動局から変化するサービス品質フィードバックに応答して特定のリンク速度制御を必要とするとして認識するのをダイナミックに更新するように構成された請求項３１記載の前記基地局システム。
【請求項３３】
無線通信ネットワークにおける移動局の逆方向リンク速度を制御する方法において、
１以上の移動局に対して一次逆方向リンク速度制御を提供するように基本的な速度制御コマンドを送信するステップと、
必要に基づいて目標の移動局において一次逆方向リンク速度制御を優先させるように１以上の移動局のうちの目標移動局に補助速度制御コマンドを送信するステップと
を有する方法。
【請求項３４】
基本的な速度制御コマンドを送信するステップは、第１の許可チャネル上に基本的な複数の速度制御コマンドを送信するステップを有する請求項３３記載の前記方法。
【請求項３５】
補助速度制御コマンドを送信するステップは、第２の許可チャネル上に複数の補助速度制御コマンドを送信するステップを有する請求項３４記載の前記方法。
【請求項３６】
基本的な速度制御コマンドを送信するステップは、共通速度制御チャネル上に基本的な複数の速度制御コマンドを送信するステップを有し、かつ複数の補助速度制御コマンドを送信するステップは、１以上の補助速度制御チャネル上に複数の補助速度制御コマンドを送信するステップを有する請求項３３記載の前記方法。
【請求項３７】
補助速度制御コマンドを送信するステップは、要求に基づいて複数の目標移動局のそれぞれにおいてモバイル特定のサービス必要条件に基づいて目標移動局に、複数のモバイル特定の速度制御コマンドを送信するステップを有する請求項３３記載の前記方法。
【請求項３８】
複数の目標移動局から受信するサービス品質フィードバックに基づいて少なくとも部分的に複数のモバイル特定の速度制御コマンドを判断するステップを更に有する請求項３７記載の前記方法。
【請求項３９】
１以上の移動局から受信するサービス品質フィードバックに基づいて複数の目標移動局をダイナミックに判断し、かつそれらのうちのいずれが補助逆方向リンク速度制御を必要としているのかを認識するステップを更に有する請求項３７記載の前記方法。
【発明の詳細な説明】
【技術分野】
【０００１】
この出願は、下記の米国予備出願：２００３年６月１７日に出願された出願連続番号第６０／４７９，０１４号、及び２００３年７月１４日に出願された出願番号第６０／４８６，９３８から、３５Ｕ.Ｓ.Ｃ.§１１９（ｅ）により優先権を主張する。更に、この出願は、２００４年１月９日に出願され、かつ出願番号第１０／７５５．１０４号が付与された「無線通信ネットワーク用の一般化した速度制御（Generalized Rate Control for a Wireless Communication Network）」と題した米国実用特許出願から、３５Ｕ.Ｓ.Ｃ.§１２０により優先権を主張する。これらの出願の全ては、ここで引用によってこれらの全体に明確に組み込まれる。
本発明は、無線通信ネットワークにおいて動作する移動局の逆方向リンク速度（Reverse Link Rate）を制御することに関する。
【背景技術】
【０００２】
（発明の背景）
現在の、かつ発展している無線通信ネットワークは、広いレンジで利用可能なデータ速度を使用して構築されたデジタル・チャネルを提供している。例えば、ｃｄｍａ２０００又はワイド・バンドＣＤＭＡ（Ｗ−ＣＤＭＡ）基準に基づくネットワークは、順方向リンク（Ｆｏｒｗａｒｄ  Ｌｉｎｋ）及び逆方向リンク（Ｒｅｖｅｒｓｅ  Ｌｉｎｋ）上に構築可能なデータ速度チャネルを提供する。あるユーザにより実行されている特定のアプリケーション（複数）は、最小又は最大データ速度を指令し得ると同時に、多くの形式の通信は、種々のデータ速度のチャネルによる送信に対して変更可能としている。
【発明の開示】
【発明が解決しようとする課題】
【０００３】
例えば、ある移動局は、ファイル転送プロトコル（File Transfer Protocol:ＦＴＰ）を使用したファイルの転送、又は添付ファイル付きの電子メールの送信等のように、潜在的に長いデータ転送に関わることがある。このような場合に高いデータ速度はユーザに好都合であり、転送の完了を待つ時間が短くなるが、このようなアプリケーションに低いデータ速度を使用することもできる。例えば、送信すべきデータにより「好ましいとする」複数のユーザが存在する場合、又はネットワークの負荷の状態が高い場合は、低いデータ速度が好ましいと思われる。
【０００４】
特に、与えられたサービス・エリア（セクタ）内で動作している、無線ネットワークの移動局のデータ速度は、逆方向リンク負荷の関数として制御された固有の又は集約的な逆方向リンク・データ速度を有すると思われる。負荷の状態は、対応する無線基地局においてＲＯＴ（Rise-Over-Thermal）受信雑音測定値の式により表されてもよく、又は接続されたユーザ数、競合する逆方向リンク・スループット等のような他の測定値を使用して評価されてもよい。
【０００５】
それとは関係なく、速度制御に対する従来のアプローチは、典型的には、共通速度制御チャネル、グループ速度制御チャネル、又はモバイル当たりの専用の速度制御チャネルに対して割り付けた移動局の限定的な選択を提供する。与えられた移動局、又は与えられた１グループの移動局に採用された速度制御方式は、典型的には、セクタの順方向リンク上の速度制御シグナリング・オーバーヘッドについて管理可能なレベルを保持することと、種々の移動局において適当な逆方向リンク・スループットを保持することとの間における妥協を反映している。
【課題を解決するための手段】
【０００６】
（発明の概要）
本発明は、無線通信ネットワークにおける逆方向リンク速度を制御する方法を備え、ネットワークは、１以上の移動局に対する共通速度制御コマンドのような基本的な速度制御コマンドを送信し、かつ要求に基づいて、これらのうちの特定のものに、又はこれらの特定のグループに補助速度制御コマンドを更に送信する。このようにして、ネットワークは、全般的な速度制御、例えば連続ベースで与えられた移動局に対する共通速度制御を提供し、かつ必要なときは、特定の移動局又は特定グループの移動局に対してサービス品質（Quality of Service）必要条件を満たすように、補助速度制御を使用して特定の移動局においてその速度制御を一時的に優先又は変更させることができる。
【０００７】
従って、無線通信ネットワークにおける移動局の逆方向リンク速度を制御する例示的な方法には、１以上の移動局の一次逆方向リンク速度制御を得るように基本速度制御コマンド、例えば共通速度制御コマンドを送信し、かつ必要性に基づいて（on an as-needed basis）、目標移動局において一次逆方向リンク速度制御を優先させるように１以上の移動局のうちの目標移動局に補助速度制御コマンドを送信することを備えている。この方法により、共通、即ち、共有速度制御コマンドは、連続ベースで１グループの移動局に対して、例えば与えられた無線セクタ内の全てのユーザに対して送信されてもよく、かつ目標速度制御コマンドは、必要ベースにより、複数のユーザのうちの特定のユーザに、又は不連続に特定グループのユーザに送信されてもよい。
【０００８】
例えば、目標速度制御コマンドは、モバイル特定のサービス品質必要条件の関数として判断されたモバイル特定のコマンドとして編成されてもよい。勿論、与えられた移動局は、多重サービスを実行していてもよく、かつ目標の補助速度制御コマンドは、特定サービスのサービス要求に適合するように、又は大抵のサービス要求の必要性を充足することを少なくとも保証するように発生されてもよい。
【０００９】
本発明の他の実施例において、無線通信ネットワークにおける移動局の逆方向リンク速度を制御する方法は、１以上の移動局の全般的な逆方向リンク速度制御のための第１の速度制御コマンドを送信すること、及び第１の速度制御コマンドを送信している間に、１以上の移動局のうちの少なくとも１移動局特定の逆方向リンク速度制御に対し、要求に基づいて、第２の速度制御コマンドを送信することを備えている。第１の速度制御コマンドを送信することは、１グループの移動局に対して共通速度制御コマンドを送信するものでもよく、かつ１以上の移動局のうちの特定の移動局において特定のサービス品質要求をサポートするように、要求により、特定の速度制御コマンドを一時的に送信するものでもよい。
【００１０】
従って、例示的な基地局システムは、１以上の移動局の全般的な逆方向リンク速度制御に対する第１の速度制御コマンドを発生し、かつ第１の速度制御コマンドを送出している間に、１以上の移動局のうちの少なくとも１移動局の特定の逆方向リンク速度制御に対して要求に基づいて、第２の速度制御コマンドを発生するように構成された１以上の逆方向リンク速度制御回路を備えている。
【００１１】
従って、例示的な基地局システムは、第１及び第２の速度制御コマンドを送信するように構築された無線基地局を備え、第１の速度制御コマンドは、１以上の移動局に対する全般的かつ一次速度制御を提供し、かつ第２の速度制御コマンドは、目標移動局のサービス要求に従って個々の移動局、又は複数グループの移動局に対する目標速度制御を提供する。第１のコマンドは、１セクタ又はグループの特定の共通速度制御コマンドのように、第１の速度制御チャネル上に送信されてもよく、かつ第２の速度制御コマンドは、要求により１以上の第２の速度制御チャネル上に送信され得る。個別化された第２の速度制御チャネルは、１以上の目標移動局のそれぞれ、又は複数グループの移動局及び多重又は専用速度制御チャネルは、このような移動局又はグループのそれぞれに、それに対応する第２の速度制御コマンドを提供するために、使用されてもよいことに注意すべきである。
【００１２】
勿論、本発明は、以上の実施例に限定されない。当該技術分野の当業者は、以下の詳細な説明を読むことにより、及び添付図面を見ることにより、付加的な特徴及び効果を認識すべきである。
【実施例】
【００１３】
（発明の詳細な説明）
図１は、本発明による逆方向リンク速度制御を得るために構築される例示的な無線通信ネットワーク１０を示す。ネットワーク１０は、説明目的のために簡略化されているが、しかし当該技術分野の当業者は、ネットワーク１０が図示されていない存在を含み得ること、かつ図示した存在が付加的な複合体を備え得ることを理解すべきである。更に、ネットワーク１０が１以上の実施例においてｃｄｍａ２０００無線通信ネットワークを備えていると同時に、本発明はそのように限定されず、またネットワーク１０は、広帯域ＣＤＭＡ（ＷＣＤＭＡ）のような他の標準に基づいていてもよいことを理解すべきである。
【００１４】
以上を念頭に置いて、ネットワーク１０は、例えばインターネット又は他の公衆データ・ネットワーク（Public Data Networks:PDNs）、及び／又は公衆交換電話ネットワーク（Public Switched Telephone Network:PSTN）のように、１以上の外部ネットワーク１４に移動局１２を通信によって接続する。簡単化した例示において、ネットワーク１０は、１以上のコア・ネットワーク（Core Networks:CNs）１８に通信により接続された無線アクセス・ネットワーク（ＲＡＮ）１６を備えており、コア・ネットワーク１８は続いて外部ネットワーク１４と通信をする。ＲＡＮ１６は１以上の基地局システム（ＢＳＳ）を備えており、それぞれ基地局コントローラ（ＢＳＣ）３０及び関連する１以上の無線基地局（ＲＢＳ）３２を備えている。当該技術分野に習熟する者は、他のＢＳＳ構成が可能なこと、例えばＢＳＣロジックがＲＢＳレベルに全体的に又は部分的にシフトされてもよく、かつ本発明はこのような変形の全てを意図していることを理解するべきである。
【００１５】
少なくとも一実施例において、ネットワーク１０は、第１に１以上の移動局に連続的な速度制御、第２に要求により１以上のこれらの移動局に不連続な速度制御を提供する。ここでは、「連続的」とは、外部的な介入なしに、一般的に反復ベースで送信される速度制御コマンドを意味する。他方、「不連続」とは、一次速度制御を優先させる又は変更する必要があるときにのみ、特定の複数の移動局に送信される「バースト状（ｂｕｒｓｔｙ）」であってもよい速度制御コマンドを意味する。従って、典型的な移動局は、その速度制御がモバイル特定、又はグループ特定の速度制御を必要とするまで、一次速度制御により提供される全般的な速度制御によるものでもよく、この場合には、移動局が二次速度制御チャネルに一時的に割り付けられてもよい。
【００１６】
このような速度制御を考慮すると、各ＲＢＳ３２は、１、２又はそれ以上のセクタに無線サービスを提供しており、図示の複数のＲＢＳ３２は、それぞれＳ１、Ｓ２及びＳ３として表した３セクタにサービスしている。ここで使用している用語「セクタ」は、広く捉えられるべきであり、従って定義された無線サービス・エリアを意味するものと理解されるべきである。例示的な定義において、用語セクタは、与えられた無線搬送波（周波数）が与えられた地理的なサービス・エリアとの交点を表す。従って、図示するこれらＲＢＳ３２は、重なり合うセクタを得るように２以上の無線搬送波を使用してもよい。いずれにしろ、このような詳細は、本発明を理解するための中心ではない。しかしながら、当該技術分野の当業者は、ここで説明する速度制御方法が必要により、セクタ内及び間で変更されてもよいことを理解すべきである。
【００１７】
図２は、ＢＳＣ３０及びＲＢＳ３２を備えた例示的な基地局又はＢＳＳを示しており、これらは明確性の助けとなるように簡単化した機能要素の観点から説明される。ＢＳＣ３０は、一般的には、多数のＲＢＳ３２をサポートするように構築され、かつ各ＲＢＳ３２は多数の無線セクタをサポートするように構築されてもよいことを理解すべきである。
【００１８】
いずれにしろ、ＢＳＣ３０は、ＲＢＳ３２によりサポートされている移動局１２のうちの種々のもので終端し、かつ発信する音声及び／又はデータ呼に関連した論理接続を設定、保持及び切り離す呼制御ロジックを提供するように構成された制御処理回路３４、例えば１以上の信号プロセッサ、マイクロコントローラ等を備え、かつＲＢＳ３２、例えばＥ１／Ｔ１回線、マイクロ波等用のバックホール・インターフェース回路に通信により接続するインターフェース回路３６を備えている。インターフェース回路３６は、モバイル・スイチング・センタ（図示なし）と通信するように、ＣＮ１８と通信する付加的な、多分異なるインターフェースを備えたものでもよい。更に、ＢＳＣ３０は、ＣＮ１８のパケット側とＲＡＮ１６との間の無線パケット（Radio-Packet:ＲＰ）インターフェースを提供するパケット制御機能（ＰＣＦ）、又は同様の構成要素を備えてもよい。
【００１９】
ＲＢＳ３２は、順方向／逆方向リンク制御及び信号処理回路を備えており、ここでは、まとめて処理回路４０と呼ばれる。ＲＢＳ３２は、更に、トランシーバ・リソース４２及びそれぞれ関連する受信アンテナ素子４４及び送信アンテナ素子４６、及びＲＢＳ３２をＢＳＣ３０に通信により接続するために１以上のインターフェース回路４８を備えている。例示する処理回路４０は、例えばＤＳＰ回路、マイクロプロセッサ／マイクロコントローラ等の１以上の信号プロセッサ、及び関連するサポート回路を備え、同時にトランシーバ・リソース４２は、順方向（送信）リンク及び逆方向（受信）リンク上で移動局１２と通信するために使用される物理層チャネルを実現するために、使用される変調／復調及び符号化／復号化回路を備えている。
【００２０】
本発明の１以上の実施例によれば、例示的な速度制御は、ＢＳＣ３０及び／又はＲＢＳ３２においてハードウェア、ソフトウェア又はその任意的な組み合わせを構築することにより実施され得る。例えば、マイクロプロセッサ・リソースを備えてもよいＲＢＳ３２における処理回路４０は、本発明による例示的な一次及び補助速度制御を提供するように構築されてもよい。更に、少なくともいくつかの速度制御処理は、ＢＳＣ３０において適当に構築した処理回路３４によりサポートされてもよい。ＢＳＣとＲＢＳとの間のこのような共有処理は、ＢＳＣ３０が速度制御調整において使用される情報を処理する又は提供する場合に特に適していると云える。
【００２１】
このような実施詳細にも拘わらず、図３は、移動局１２に対する一次及び二次逆方向リンク速度制御を提供する前後関係においてＢＳＣ３０及びＲＢＳ３２を示す。更に一次速度制御コマンドもここでは「基本」速度制御コマンドと呼ばれてもよく、更に二次速度制御コマンドもここでは「補助」速度制御コマンドと呼ばれてもよい。
【００２２】
図示した移動局１２は、セクタ広域速度制御コマンドをその「一次」速度制御コマンドとして受信することができ、かつ必要ベースにより、ループ特定の速度制御コマンドをその「二次」速度制御コマンドとして受信してもよい。代替として、移動局１２は、グループ特定の速度制御コマンドをその「一次」速度制御コマンドとして受信してもよく、かつ必要に基づき、モバイル特定の速度制御コマンドをその「二次」速度制御コマンドとして受信してもよい。更なる代替として、移動局１２はセクタ広域速度制御コマンドをその一次速度制御コマンドとして受信してもよく、かつ必要ベースにより、モバイル特定の速度制御コマンドをその二次速度制御コマンドとして受信してもよい。勿論、ここでは一次／二次速度制御の他の組み合わせが考えられる。
【００２３】
移動局１２がセクタ広域速度制御コマンドをその一次速度制御コマンドとして受信する例を見ると、これらのセクタ広域速度制御コマンドは、移動局１２が動作しているセクタに対する逆方向リンクの負荷の関数として、発生されてもよいことに注意すべきである。ＲＢＳ３２及び／又はＢＳＣ３０は、基地局の無線受信機におけるＲＯＴ受信機雑音（rise-over-thermal receiver noise）を測定することにより、セクタの負荷を推定することができる。逆方向リンクの負荷を測定する他の方法は、例えば逆方向リンク上の競合スループットを判断すること、ユーザの番号及び形式を監視すること、セクタにおいてかなりの数のユーザがサービス中であるか否かを識別すること等に使用されてもよい。
【００２４】
一般的に、逆方向リンクの負荷の状態が、例えば基地局動作停止の確率に対して設定され得る一つ以上の測定しきい値より高いときは、共通速度制御コマンドを「ダウン」コマンドとして発生し、移動局１２をこれらコマンドに従ってこれらの速度を下方へ増加的に調整させる。逆に、負荷が軽いときは、共通速度制御コマンドを「アップ」コマンドとして発生し、移動局１２をこれらコマンドに従ってこれらの速度を上方へ増加的に調整させる。実際において、共通速度制御コマンドは、変化する負荷の状態の関数として、上下間で前進後退の変動をさせる。
【００２５】
共通速度制御コマンドは、「逆動作ビット」として呼ばれてもよい「ロード・インジケータ」として発生されることにも注意すべきである。この速度制御コマンド発生方法によれば、基地局は、逆方向リンクの負荷の状態を反映するように１以上の送信された共通速度制御コマンド・ビットを変更し、従って移動局１２は、ロード・インジケータを処理するように構成される。例えば、移動局１２は、−無線状態及び送信電力制限のため、−軽い逆方向リンクの負荷の表示の受信及びこれらのデータ速度の低下に応答して、−サービス必要条件の制約等のため、−重いリンクの負荷の表示の受信に応答して、これらのデータ速度を増加するようにプログラムされてもよい。
【００２６】
一次及び二次速度制御により、一次速度制御コマンドは、１グループのユーザをより低速に「絞り込む」ために、又はそのグループを現在の速度（複数速度）に維持するために使用されてもよく、一方、二次速度制御コマンドは、必要により、それらの内から特定のもののデータ速度を制御するために使用される。例えば、これらの特定のものがこれらの特定のＱoＳ要求に従って高いデータ速度を達成可能にされる。
【００２７】
例えば、サポートは、特定のユーザ又は複数グループのユーザ、例えば金／銀／銅データ・ユーザ用に優先化されてもよい。従って、この発明は、このような優先化を実施するように構築可能なテーブル／機能を有するセクタ制御機構を備えてもよく、又は制御アルゴリズムの計画化は、ユーザを優先化するために一次及び二次速度制御を採用してもよい。他のシナリオにおいて、一次／二次速度制御は、多重サービス例を有する移動局１２において異なるサービス例に対して異なるＱoＳ必要条件をサポートするために使用されてもよい。このような移動局１２は、高いバッファ・レベル、例えば「水位標」レベルに到達した特定サービス例を表すようにフィードバックを提供することができる。このデータ・フィードバックは、電力ヘッドルーム・フィードバックと共に、与えられたセクタ内の種々のモバイルの中で相対的な優先度決定を可能にする。
【００２８】
一次／二次速度制御変形等及びその他に共通して、ＲＢＳ３２及びＢＳＣ３０は、移動局１２が任意の二次的な優先コマンドを受信しない際に引き継がれる「デフォールト」速度制御コマンドと見なしてもよいものを受信するように、連続ベースにより、送信される第１の速度制御コマンドを移動局１２に提供するように構築されてもよい。これらが共有される必要ないと同時に、これらのデフォールト速度制御コマンドは、好ましくは、グループによるか又はセクタによる多数の移動局１２によって共有される。
【００２９】
デフォールト速度制御コマンドが特定の移動局１２のサービス必要条件に適合させるのに十分でないときは、必要により、これに二次速度制御コマンドが送信される。従って、これらの二次速度制御コマンドは、必要ベースにより、移動局１２においてデフォールト速度制御を優先させるように使用されてもよい「バースト状（bursty）」の速度制御チャネルを提供する。
【００３０】
以下で説明するように、二次速度制御コマンドの送信のために移動局１２に対する補助速度制御チャネルの割り付けは、移動局１２からのサービス必要条件及び／又はフィードバックを監視することに基づいてトリガされてもよい。例えば、移動局１２は、バッファ・レベルのフィードバックを提供するように構築されてもよく、この場合にはその逆方向リンク送信キューに関係したネットワーク１０を送信する。従って、移動局１２において過度に長い送信キューは、補助速度制御チャネルの割り付けのためのトリガとして利用されてもよく、かつ二次速度制御チャネルは、デフォールト速度制御コマンドを介して得られるものより高い逆方向リンク・データ速度を達成できるように、移動局１２に送信されてもよい。
【００３１】
勿論、ここで以下に説明するように、フィードバック及びサービス必要条件の監視の他の形式は、必要に基づいて、二次速度制御チャネル割り付けをトリガするように使用して、モバイル特定及びグループ特定のサービス必要条件（ＱoＳ）に適合するようにされてもよい。使用した特定のトリガ機構（複数トリガ機構）に拘わらず、図４は、一次及び二次速度制御チャネル割り付けを管理する例示的な処理ロジックを示す。
【００３２】
処理は、一次速度制御チャネルに特定の移動局１２を割り付けることにより開始する（ステップ１００）。前述したように、この一次チャネルは、好ましくは、共有された速度制御チャネルであり、従って移動局１２が動作している無線セクタに対する共通速度制御コマンドを搬送してもよく、又は移動局１２が割り付けられた既定グループに対するグループ特定の速度制御コマンドを搬送してもよい。グループ速度制御は、ユーザ・クラス、例えば金、銀、銅クラス等に基づく異なるサービスを提供するように使用されてもよいことに注意すべきである。
【００３３】
無線通信ネットワークに対する概括的速度制御（Generalized Rate Control for a Wireless Communication Network）（SN 10/755,104）と題して、組み込まれ、かつ係属中出願に詳細に説明されているように、一次速度制御チャネルは、他のチャネルに時多重化されてもよい。例えば、cdma2000に基づくネットワークにおいて、１以上の順方向共通速度制御チャネル（Forward Common Rate Control Channel:Ｆ−ＣＲＣＣＨ）は、順方向共通電力制御（Forward Common Power Control Channel:Ｆ−ＣＰＣＣＨ）に多重化されてもよく、これは、一般的には、対応する複数の移動局１２を電力制御する多重化電力制御ビット（power control bits:ＰＣＢs）を備えている。例えば、電力制御チャネル上に速度制御コマンドを多重化することは、未使用電力制御ビットを速度制御ビットにより置換することに基づいて、又は１以上の電力制御ビットを速度制御情報により周期的に破壊させることに基づいていてもよい。
【００３４】
いずれにしろ、移動局１２が一次速度制御チャネルに割り付けられたならば、その出サービス必要条件は、一次速度制御コマンドが移動局１２の逆方向リンク・サービス必要条件をアドレス指定するために十分であるか否かについて、判断するために監視される（ステップ１０４）。図５は、多数の移動局−基地局フィードバック機構を示し、そのうちの１以上は、二次速度制御チャネルを移動局１２に一時的に割り付けることが保証されるか否かについて、論理的に評価することに使用されてもよい。しかし、このようなフィードバックは、ステート・インジケータ、逆方向リンク速度要求、送信バッファ・キュー情報及び送信電力ヘッドルーム情報に限定されない。
【００３５】
速度要求は、逆方向リンク速度変更を明確に要求するために移動局１２により使用されてもよく、同時に、移動局１２からのステータス表示は、移動局１２がその逆方向リンク・データ速度を増加させる必要があることを表示するために使用されてもよい。同様に、送信バッファ・キュー情報は、現在の逆方向リンク・スループットがこれに対して十分であるか否かの表示として、移動局１２により送出されてもよい。ここで、バッファ・レベル情報は、ビットをセーブするために量子化されてもよい。例えば、空き対フル・バッファ・ステータスの連続は、例えば基地局に対して多値バッファ・レベルのインジケータを提供するように、２又は３ビットを使用して量子化してもよい。代替又は付加的に、移動局１２は、基地局に送信電力ヘッドルーム・インジケータを送信してもよく、このような情報は、移動局１２がより高い逆方向リンク・データ速度で動作するために利用可能とする十分な逆送信電力を現在有するか否かについて、判断する観点で有用である。
【００３６】
更に、移動局１２が多重サービス例を実行している場合に、任意又は全ての多重サービス例のための量子化バッファ・レベル情報は一般化されてもよい。多重化サービス例からの量子化バッファ・レベルは必要ならば、一つのレポート、又は連続的なレポートにより送信されてもよい。
【００３７】
従って、任意かつ全ての情報は、一時的に補助速度制御が移動局１２の逆方向リンク・サービス必要条件を満足させるために必要とされるか否かについて、評価するために使用されてもよい（ステップ１０６）。二次速度制御が要求されていることが判断されたときは、移動局１２が二次速度制御チャネルに割り付けられ（ステップ１０８）、次に補助速度制御コマンドがその二次チャネル上の移動局１２に送信される（ステップ１１０）。二次コマンドは、移動局１２に対して特定のサービス品質必要条件の機能として発生されてもよい。
【００３８】
二次チャネルが割り付けられると、補助速度制御コマンドは開放されるべきか否か及び時を判断するためにサービス状態／必要条件が監視されてもよい（ステップ１１２）。例えば、二次速度制御チャネルは、そのキュー・レベルが定義されたしきい値である限り、それが高い逆方向リンク速度を要求し続けている限り等、移動局１２に対して維持されてもよい。勿論、二次速度制御チャネルを保持するために、又は開放するために使用されるロジックは、例えば総合逆方向リンクの負荷、他の複数の移動局１２、又は複数グループの移動局１２がより高いサービス優先度を有する等のように、より高いレベルを考慮して、更に条件付けられてもよい。
【００３９】
移動局１２に対して二次速度制御をこれ以上必要としない（又は必要とする）のであれば、二次速度制御チャネル割り付けを開放する（ステップ１１４）。二次速度制御チャネルを開放すると、移動局１２は、一次速度制御チャネルに提供される逆方向リンク速度制御に戻す。二次速度制御コマンドが目標グループの移動局１２に提供されているときに、二次速度制御コマンドを開放する決定は、そのグループにおけるいずれの移動局１２もこれらのサービス必要性に適合するために二次速度制御コマンドをこれ以上要求しないとの判断に基づき、可能とされることに注意すべきである。
【００４０】
移動局１２は、一般的には、受信した二次速度制御コマンドが受信した一次速度制御コマンドを完全に優先するように、構築可能とされることに注意すべきである。即ち、上記処理ロジックの実施例によれば、受信されているどのような二次速度制御コマンドに加えて、一次速度制御コマンドが継続し、かつ受信され続ける。従って、与えられた移動局１２は、このようなコマンドが受信される限り、排他的に二次速度制御コマンドに従うように構築されてもよい。代わって、移動局１２は、受信した二次速度制御コマンドがあれば、これに基づいて一次速度制御コマンドに対する応答を変更するように、構築されてもよい。従って後者の解決法において、実効的な速度制御は、一次及び二次速度制御チャネル上に供給される一次及び二次速度制御のある論理的な組み合わせを備えることになる。
【００４１】
以上の情報は、ここで一次及び二次速度制御チャネルが、例えば共通電力制御チャネル上の多重化サブチャネルとして形成されてもよいことを述べた。従って、ＲＢＳ３２／ＢＳＣ３０は、Ｆ−ＣＰＰＣＨ上で定義された順方向共通速度基本サブチャネル（Forward common Rate Control Fundamental Sub-Channel:Ｆ−ＣＲＣＦＳＣＨ）上の１グループの移動局１２により共有されるべき第１の（一次）速度制御コマンドを送信してもよい。
【００４２】
従って、二次速度制御を必要とする各グループの移動局１２に対して、又は特定の各移動局１２に対して、ＲＢＳ３２／ＢＳＣ３０は、順方向共通速度基本サブチャネル（Ｆ−ＣＲＣＦＳＣＨ）上に二次（補助）速度制御コマンドを送信してもよい。これらの二次速度制御チャネルは、これらに対応する移動局１２に、又はこれらに対応する複数グループの移動局１２に第２の速度制御をそれぞれ搬送し、更に、これらは共通電力制御チャネル上で多重化されてもよい。多数の共通電力制御チャネルが使用される場合に、異なる一次及び二次速度制御は、必要により、これらのそれぞれに搬送されてもよい。
【００４３】
他のチャネルは一次及び二次速度制御を提供するように使用されてもよい。例えば、ＲＢＳ３２／ＢＳＣ３０は、与えられた移動局１２に対して共有される一次速度制御コマンドを提供するように与えられた順方向許可チャネル（Forward Grant Channel:Ｆ−ＧＣＨ）を使用してもよい。従って、これらの移動局１２のうちの目標移動局に、又は目標のサブグループの移動局に二次速度制御コマンドを提供するように任意数の付加的な第２のＦ−ＧＣＨを使用してもよい。この関係及び他の関係において、速度制御コマンドは、限定されることなく、排他的な速度許可、又はインクリメンタルのアップ／ダウン・コマンドを備えてもよいことを理解すべきである。更に、一次及び二次速度制御は、同一形式のものである必要はない。例えば、与えられたグループに対する一次速度制御コマンドは、排他的な許可であってもよく、かつ目標数のそのグループに送信された二次速度制御は、インクリメンタルのアップ／ダウン・コマンドとして、又は排他的な許可コマンドとして許可されてもよい。
【００４４】
それとは関係なく、当該技術分野に習熟する者は、本発明が、必要により、二次速度制御の一時的な割り付けることによって、目標移動局１２におけるバースト状のＱoＳ必要条件を満たすように必要性に広く対応していること、及び種々の一次／二次チャネル実施構成に使用され得ることを理解すべきである。それとは関係なく、本発明は、逆方向リンク・サービス必要条件が送信している共通速度制御コマンドによって少なくとも一時的に満足されない移動局１２に対し、補助速度制御チャネルの送信をうまく限定することにより、信号オーバーヘッドを低下させている。
【００４５】
従って、本発明は、以上において提示した実施例の詳細によって限定されず、かつ随伴する説明によって限定されない。本発明は、実際には、下記の請求項及び法的に合理的な等価物によってのみ限定される。
【図面の簡単な説明】
【００４６】
【図１】本発明の１以上の実施例により構築された無線通信ネットワークの図である。
【図２】例示的な無線基地局及び基地局コントローラの詳細な図である。
【図３】本発明による例示的な基本（一次）及び補助（二次）速度制御図である。
【図４】必要ベースにより二次速度制御を有する移動局を得るために例示的な処理ロジック図である。
【図５】本発明により基地局と移動局との間に確立された例示的な一次／二次速度制御チャネルの図である。
【図１】
2007524266.tif 000003
【図２】
2007524266.tif 000004
【図３】
2007524266.tif 000005
【図４】
2007524266.tif 000006
【図５】
2007524266.tif 000007
【国際調査報告】
2007524266.tif 000008
2007524266.tif 000009
2007524266.tif 000010